(57)【要約】  【課題】コンパクト化を図るとともに、仕様変更にも柔軟に対応することが可能なレーザポインタＰを提供する。  【解決手段】ペン型をなす筐体１と、筐体１の内部に設けられそれぞれ回路を実装した第１基板５及び第２基板６とを具備し、これら複数の基板５、６を積層状に構成した。【選択図】図３
2006330206.tif 000002
【特許請求の範囲】
【請求項１】
レーザ光線によって任意の位置を照射して指示するレーザポインタであって、
ペン型をなす筐体と、筐体の内部に設けられそれぞれ回路を実装した複数の基板とを具備し、これら複数の基板を積層状に構成していることを特徴とするレーザポインタ。
【請求項２】
前記複数の基板のうち、一の基板を構造部材としている請求項１記載のレーザポインタ。
【請求項３】
前記一の基板に、ユーザが操作時に直接又は間接的に押下するスイッチを実装している請求項２記載のレーザポインタ。
【請求項４】
前記筐体に、前記一の基板の厚み方向への移動を規制する移動規制手段を設けている請求項２又は３記載のレーザポインタ。
【請求項５】
前記筐体が概略円筒状をなし、前記移動規制手段が、前記筐体の内周に長手方向に沿って形成した一対の溝である請求項４記載のレーザポインタ。
【請求項６】
レーザ光線を発光するための回路と、所定の電子機器と通信するための回路とをそれぞれ異なる基板に実装している請求項１、２、３、４又は５記載のレーザポインタ。
【発明の詳細な説明】
【技術分野】
【０００１】
本発明は、レーザ光線によって任意の位置を照射して指示するレーザポインタに関するものである。
【背景技術】
【０００２】
プレゼンテーションや会議等において利用され、例えばプロジェクタやＯＨＰ(オーバーヘッドプロセッサ)等により投射した画面をレーザ光線によって照射して指示するレーザポインタが各種開発されている。このようなレーザポインタとして、赤色レーザ光線を照射するタイプがこれまで広く利用されてきたが、近時、赤色レーザ光線よりも比視感度が高く、色の識別が困難な人にとっても認識され易い緑色レーザ光線を照射するタイプが注目を浴びている。
【０００３】
また、単にレーザ光線を照射するのみならず、ユーザの所定の操作に対応して所定の電子機器と赤外線を利用して通信し、表示画面を変更し得る遠隔操作可能なレーザポインタも開発されており、レーザポインタの多機能化が進んでいる。（例えば非特許文献１参照）
【非特許文献１】「コクヨオフィスサプライズ編２００５度版」、コクヨＳ＆Ｔ株式会社等、２００４年１２月発行、Ｐ．２４６の上段及び中段に示されている各種レーザポインタ
【発明の開示】
【発明が解決しようとする課題】
【０００４】
ところで、レーザポインタは、筐体の内部に、回路を実装した単一の基板を設けているのが通例であり、上述した多機能化を実現するためには、レーザを発光するための回路と、所定の電子機器と通信するための回路とを単一の基板に実装しなければならず、その結果、有効な実装可能領域を確保するために、基板自体の寸法を大きくしなければならい。一方で、携帯性及び操作性等の観点からは、筐体が縦長のペン型であることが望ましく、これらの要望に応えるためには、基板の長手寸法を大きく設定し、この基板に多機能化を実現するための回路を実装しなければいけない。しかしながら、基板の長手寸法を大きくすれば当然のことながら筐体自体の長手寸法をも大きく設定しなければならず、その結果、レーザポインタ自体のコンパクト化を図ることができないという不具合が生じる。
【０００５】
さらに、発光するための回路及び通信するための回路を単一の基板に実装した態様であれば、いずれか一方の回路のみを仕様変更する場合であっても、基板そのものを別仕様の回路を実装した別の基板に変更しなければならず、仕様変更を容易に行うことができないという不具合が生じる。また、いずれか一方の回路のみの故障であっても他方の回路を実装した基板そのものを別の基板に交換する必要がある。このように各機能を発揮するための回路を単一の基板に実装する態様は、商品展開容易化及び修理容易化の観点からも好ましくない。
【０００６】
本発明は、このような課題に着目してなされたものであって、主たる目的は、コンパクト化を図るとともに、仕様変更にも柔軟に対応することができるレーザポインタを提供することにある。
【課題を解決するための手段】
【０００７】
すなわち、本発明のレーザポインタは、レーザ光線によって任意の位置を照射して指示するものレーザポインタであって、ペン型をなす筐体と、筐体の内部に設けられそれぞれ回路を実装した複数の基板とを具備し、これら複数の基板を積層状に構成していることを特徴とする。
【０００８】
ここで、「ペン型」とは、縦長状のものを意味し、概略円筒状や概略多角筒状、或いは長手方向に沿った一部に凹部又は湾曲部を形成した形状等、ユーザが把持可能な各種形状を包含する概念である。
【０００９】
このようなものであれば、多機能化を実現するために必要な回路を、複数の基板に分けて実装することができるため、単一の基板に全ての回路を実装する態様と比較して、一枚の基板における回路の実装領域が小さくなり、各基板の長手寸法を小さく設定することができる。その結果、筐体の長手寸法も小さく設定することが可能となり、レーザポインタのコンパクト化を図ることができる。また、回路を例えばある特定の機能を発揮する回路毎に類別した状態でそれぞれ各基板に実装することにより、仕様変更する場合に、変更対象の回路を実装した基板を、他の仕様に対応するように回路が実装された別の基板に交換するだけでよいため、仕様変更を容易に行うことができる。さらに、一の機能に関する回路に故障が生じた場合には、当該一の機能に関する回路を実装した基板のみを交換するだけでよいため、交換作業をスムーズに行うことができ、交換作業に掛かるコストも抑えることができる。
【００１０】
また、複数の基板を積層状に構成して各基板の長手寸法を小さく設定することにより、各基板の撓み変形を抑制することができ、このような基板のうち、一の基板を構造部材として機能させることも可能である。このように、一の基板を単に基板としてのみ機能するのみならず、積極的に構造部材として利用することにより、構造部材としてのみ機能する他の専用部材を別途用いる必要がなく、構造の簡素化及び部品点数の削減を有効に図ることができる。
【００１１】
特に、前記一の基板に、ユーザが操作時に直接又は間接的に押下するスイッチを実装していれば、この基板に実装したスイッチに対して押下力が作用した場合に生じ得る基板の撓み変形を容易に防止することができる。
【００１２】
ユーザがスイッチを押下した場合に、その操作力による基板の撓み変形及び筐体に対する相対変位を防止し、誤作動の発生を抑制するには、前記筐体に、前記一の基板の厚み方向への移動を規制する移動規制手段を設ければよい。
【００１３】
具体的な実施態様としては、前記筐体が概略円筒状をなし、前記移動規制手段が、前記筐体の内周に長手方向に沿って形成した一対の溝であるものが挙げられる。
【００１４】
また、レーザ光線を発光するための回路と、所定の電子機器と通信するための回路とをそれぞれ異なる基板に実装していれば、各基板の回路を適宜変更することにより、仕様変更を容易に行うことができ、多品種小量生産にも柔軟に対応することができる。
【発明の効果】
【００１５】
以上説明したように本発明によれば、種々の機能を発揮し得るために必要な回路を、複数の基板毎に適宜分けて実装することができるため、単一の基板に全ての回路を実装する態様と比較して、一の基板における回路の実装領域が小さくなり、各基板の長手寸法を小さく設定することができる。これにより、筐体の長手寸法も小さく設定することが可能となり、レーザポインタをコンパクトなものとすることができる。
【発明を実施するための最良の形態】
【００１６】
以下、本発明の一実施形態を、図面を参照して説明する。
【００１７】
本実施形態に係るレーザポインタＰは、図１に示すように、主として、筐体１と、筐体１の先端部に着脱可能に取り付けられる先端側キャップ部材２と、筐体１の基端部に着脱可能に取り付けられる基端側キャップ部材３と、それぞれ回路を実装した第１基板５（本発明の「一の基板」に相当）及び第２基板６を二層状に設け且つ筐体１の内部に取り付けられる内部取付ユニット４とを具備するものである。
【００１８】
筐体１は、図２、図３及び図４に示すように、例えば真鍮等の金属素材からなり、長手方向に連通した内部空間を有する概略円筒状のペン型をなすものである。この筐体１に、後述する各スイッチカバーＣ１、Ｃ２、Ｃ３、Ｃ４を筐体１の外部に表出させるためのスイッチ用孔１１、１２、１３、１４を長手方向に沿って形成している。具体的には、筐体１の長手寸法略中間位置から先端側に向かって、平面視略縦長楕円形状をなすレーザスイッチ用孔１１、平面視略横長楕円形状をなすページバックスイッチ用孔１２及びページネクストスイッチ用孔１３、さらに平面視円形状をなすマウススイッチ用孔１４をこの順で形成している。なお、図示しないが、各孔の形成箇所近傍に、各スイッチ５１、５２、５３、５４に対応する操作内容を直感し得る文字又は記号（例えば、「Ｌａｓｅｒ」「Ｂａｃｋ」「Ｎｅｘｔ」「Ｍｏｕｓｅ」）を刻印や印字或いはシール体の貼付等により表示している。また、マウススイッチ用孔１４を形成した箇所よりさらに先端側に、平面視略円形状の窓部１５を形成し、この窓部１５にレンズ体１６を圧入して、この窓部１５及びレンズ体１６を利用して後述する発光体５５の発光状態を視認できるようにしている。さらに、筐体１の基端部における内周面に基端側キャップ部材３に設けた雄ネジ部３２ａに螺合可能な雌ネジ部１７を形成している。しかして、この筐体１の内周面部に、長手方向に沿って連続して延び、且つ後述する第１基板５を支持し得る一対の支持用溝１８を形成している。これら一対の支持用溝１８を相互に対向する位置、すなわち筐体１を径方向に２等分し得る位置に形成し、これら支持用溝１８同士の離間距離が筐体１の内径より若干大きくなるようにしている。なお、これら一対の支持用溝１８を結ぶ仮想直線と略直交し得る直線上において対向する一対の溝１９が筐体１の長手方向に沿って形成されているが、これらの溝１９は筐体１の成形時（引抜加工時）に便宜的に形成されたものであり、第１基板５を支持する役割を果たすものではない。本実施形態では、第１基板５を支持する役割を果たさない溝１９の何れか一方と、前記各孔１１、１２、１３、１４及び窓部１５の各中心とを略一致させている。
【００１９】
先端側キャップ部材２は、一方向側にのみ開放した概略筒状をなし、開放端側に、筐体１の先端部に嵌合可能な嵌合突出部２１（図３参照）を一体に設けた合成樹脂製のものである。この先端側キャップ部材２の外周径を筐体１の外周径に略一致させるとともに、嵌合突出部２１の外周径を筐体１の内周径より若干小さく設定し、この嵌合突出部２１を筐体１の先端部に略緊密に嵌入しその摩擦抵抗により先端側キャップ部材２を筐体１に取り付けている。また、先端側キャップ部材２の先端部には、レーザ光線照射用の貫通孔２２を形成している。
【００２０】
基端側キャップ部材３は、摘み部を有するキャップ本体３１と、キャップ本体３１の内部に圧入され、電池Ｂの端子として機能する端子部材３２とを備えたものである（図３参照）。端子部材３２に、筐体１の基端部における内周面に形成した雌ネジ部１７に螺合可能な雄ネジ部３２ａを形成している。
【００２１】
内部取付ユニット４は、図５に示すように、主として、所定の電子機器（図示省略）と通信するための回路を実装した第１基板５と、赤色レーザ光線（以下、レーザ光線のことを単に「レーザ」と称す）を発光するための回路を実装した第２基板６と、赤色レーザを緑色レーザに変換する波長変換モジュール７とを一体的に設けたものである。
【００２２】
第１基板５は、筐体１の内周面部に形成した前記一対の支持用溝１８同士の離間距離と略一致する巾寸法を有する概略板状のものである。この第１基板５に、前記電子機器と通信するための回路を実装している。具体的には、第１基板５に、ページバックスイッチ５２、ページネクストスイッチ５３及びマウススイッチ５４の各部品を基端側からこの順で実装し、各スイッチ５２、５３、５４に対して押下力が付与された場合に、これら各スイッチ５２、５３、５４毎に対応する所定の信号、すなわち、図示しない表示画面に表示されている画面を前の画面に切り替える旨の画面戻し信号、同表示画面に表示されている画面を次の画面に切り替える旨の画面送り信号、同表示画面上に表示されるマウスポインタを所定方向に移動する旨のマウスポインタ移動信号を、電磁波を利用して前記電子機器に接続又は内蔵した受信器に向けて発信するようにしている。本実施形態では、通信方式として、２．４５ＧＨｚ周波数帯域の電磁波を利用したＲＦ（Ｒａｄｉｏ  Ｆｒｅｑｕｅｎｃｙ）方式を採用し、略１０メートル以内にある前記電子機器との間で通信可能にしている。
【００２３】
第２基板６は、第１基板５よりも巾寸法及び長手寸法を小さく設定したものであり、この第２基板６に、赤色レーザを発光するための回路を実装している。なお、レーザを発光するか否かの制御は第１基板５に実装したレーザスイッチ５１に対して押下力が付与された否かにより行われる。また、レーザの発光に連動して点灯する発光体５５を第１基板５に実装している。本実施形態では、この発光体５５をマウススイッチ５４の実装箇所よりさらに先端側に実装している。
【００２４】
このような構成を有する第１基板５と第２基板６とを、それぞれの長手方向に沿った中心軸を一致させ且つ厚み方向に所定距離離間させた状態で積層している。第１基板５と第２基板６とは、基端部側及び先端部側にそれぞれ設けた連結部材Ｒを介して積層状に連結され、これら連結部材Ｒを利用して第１基板５に実装した回路と第２基板６に実装した回路とを相互に電気的に接続している。
【００２５】
第１基板５の基端部には、例えば合成樹脂素材からなるスペーサ８と、電池Ｂの端子として機能するバネ部材９とをそれぞれ適宜の取付手段により一体的に取り付けている。
【００２６】
波長変換モジュール７は、第１基板５の先端部に設けられ、モジュール本体７１の内部において、例えば図示しない半導体レーザ発光素子が発光する８０８ｎｍの赤色レーザを１０６４ｎｍに変換し、そのレーザを図示しない波長変換結晶に通すことにより波長５３２ｎｍの緑色レーザに変換し、さらにその緑色レーザをレンズ部７２を介して照射するものである。１０６４ｎｍのレーザを５３２ｎｍの緑色レーザに逓倍する際の発熱を効率よく放熱して緑色レーザの出力を安定させるためにモジュール本体７１を真鍮製としている。また、レンズ部７２を保護する合成樹脂製の保護部材７３を設けている。
【００２７】
また、内部取付ユニット４は、波長変換モジュール７の先端部側の所定領域において、レンズ部７２を介して照射される緑色レーザの発光通路を囲むようにコイル状に巻いてなるコイル状部Ａ１を有するアンテナＡを設けている。このアンテナＡは、一端部側に設けた略直線状の直線部Ａ２を第１基板５に実装した回路に電気的に接続し（図３参照）、前記コイル状部Ａ１によって、照射部から照射される緑色レーザの発光通路を確保するとともに、レーザポインタＰと前記受信器を接続又は内蔵した電子機器との無線通信可能な距離を有効に稼いでいる。
【００２８】
次に、このような各部品からなるレーザポインタＰの組立手順について説明する。
【００２９】
先ず、筐体１に形成したレーザスイッチ用孔１１、ページバックスイッチ用孔１２、ページネクストスイッチ用孔１３及びマウススイッチ用孔１４にそれぞれレーザスイッチカバーＣ１、ページバックスイッチカバーＣ２、ページネクストスイッチカバーＣ３、マウススイッチカバーＣ４を取り付ける。各スイッチカバーＣ１、Ｃ２、Ｃ３、Ｃ４は、筐体１の内周面部に当接し得るストッパ部Ｃ１１、Ｃ２１、Ｃ３１、Ｃ４１をそれぞれ一体に有し、これら各スイッチカバーＣ１、Ｃ２、Ｃ３、Ｃ４を筐体１の内周面部側から取り付けることにより、各ストッパ部Ｃ１１、Ｃ２１、Ｃ３１、Ｃ４１が筐体１の内周面部に当接し、各スイッチカバーＣ１、Ｃ２、Ｃ３、Ｃ４が筐体１の外部へ抜け出ることを防止している。なお、本実施形態では、形状が類似しているページバックスイッチカバーＣ２とページネクストスイッチカバーＣ３との区別を容易に認識できるように、ページネクストスイッチカバーＣ３の上端部に突部Ｃ３２を設けている。次いで、前記内部取付ユニット４を、筐体１の先端側から挿入する。この際、第１基板５に実装した各スイッチ５２、５３、５４と、筐体１に形成した各孔（レーザスイッチ用孔１１、ページバックスイッチ用孔１２、ページネクストスイッチ用孔１３及びマウススイッチ用孔１４）とが同一方向を向く姿勢で、内部取付ユニット４を電池端子用のバネ部材９から筐体１内部へ挿入し、筐体１の内周面部に設けた支持用溝１８に第１基板５の両側端部を嵌入して、第１基板５の長手方向に沿った側縁部を支持用溝１８に沿って案内させながら内部取付ユニット４を筐体１の長手方向にスライド移動させる。このように、一対の支持用溝１８が、筐体１に対する第１基板５の取付位置、ひいては内部取付ユニット４の取付位置を案内するガイド部として機能する。そして、筐体１の先端部とアンテナＡのコイル状部Ａ１の始端部とが略一致する時点まで内部取付ユニット４をスライド移動させると、各スイッチカバーＣ１、Ｃ２、Ｃ３、Ｃ４とこれら各スイッチカバーＣ１、Ｃ２、Ｃ３、Ｃ４に対応する各スイッチ５１、５２、５３、５４とが相互に軽く接触し得る状態となり、発光体５５と筐体１の窓部１５に設けたレンズ体１６とが筐体１の径方向に沿って一致する。なお、マウススイッチ５４の先端部はマウススイッチカバーＣ４の内部空間に収容された状態となる。この取付状態においてアンテナＡのコイル状部Ａ１が筐体１の先端から突出した状態で表出し、筐体１の先端側に前記先端側キャップ部材２を取り付ける。具体的には、先端側キャップ部材２の嵌合突出部２１を筐体１の内周面部に圧入することにより行う。この取付状態において、前記アンテナＡのコイル状部Ａ１が先端側キャップ部材２により被覆される。次いで、筐体１の基端部側から電池Ｂ（本実施形態では単４電池２個）を挿入し、最後に基端側キャップ部材３の端子部材３２に形成した雄ネジを筐体１の基端部に形成した雌ネジ部１７に螺合することにより、基端側キャップ部材３を筐体１の基端部に取り付ける。その結果、端子部材３２及び電池端子用のバネ部材９にそれぞれ電池Ｂが接して通電可能な状態になる。
【００３０】
以上の手順で組み立ててなるレーザポインタＰは、ユーザがレーザスイッチカバーＣ１を押下することにより、レーザスイッチ５１に対してその押下力が付与され、波長変換モジュール７のレンズ部７２を介して照射され且つ先端側キャップ部材２の先端部に形成した貫通孔２２を通過した緑色レーザによって任意の位置を照射して指示することができる。緑色レーザの発光中は、発光体５５が点灯し、筐体１の窓部１５及びレンズ体１６によりその点灯状態を視認することができる。また、ユーザが、ページバックスイッチカバーＣ２、ページネクストスイッチカバーＣ３、又はマウススイッチカバーＣ４を押下することにより、対応する各スイッチ５２、５３、５４に対してその押下力が付与され、各スイッチ５２、５３、５４に対応する前記各信号を電波を利用して前記受信器を接続又は内蔵した電子機器に向けて発信することができる。この場合、金属製の筐体１が、第１基板５に実装した回路の不要輻射（電波ノイズ）を好適に遮蔽するため、この不要輻射による電波の干渉を有効に防止することができる。また、アンテナＡのコイル状部Ａ１の周囲を合成樹脂製（非金属製）の先端側キャップ部材２により被覆しているため、アンテナＡの放射する電波が無用に減衰することもない。したがって、電子機器との通信距離を十分に確保することができる。また、ユーザが付与する押下力を各スイッチカバーＣ１、Ｃ２、Ｃ３、Ｃ４を介して間接的に受ける各スイッチ５１、５２、５３、５４が第１基板５に実装されており、この第１基板５の長手方向に沿った側縁部を筐体１の支持用溝１８に支持させているため、各スイッチ５１、５２、５３、５４に対して前記押下力が付与された際に、その押下力による第１基板５の厚み方向への移動を規制することができるとともに、筐体１に対する第１基板５の位置ずれを防止し、動作不良の発生を抑制することができる。このように、筐体１に設けた一対の支持用溝１８が、第１基板５の厚み方向への移動を規制する移動規制手段として機能している。
【００３１】
このように、本実施形態に係るレーザポインタＰは、第１基板５と第２基板６とをペン型をなす筐体１の径方向に沿って二層状に構成しているため、全ての回路を単一の基板に実装する態様と比較して、各基板５、６における回路の実装領域が小さくなり、各基板５、６の長手寸法を小さく設定することができる。その結果、筐体１の長手寸法も小さく設定することが可能となり、レーザポインタＰのコンパクト化を容易に図ることができ、提携性や収納性、操作性に優れたものとなる。
【００３２】
さらに、各基板５、６の長手寸法を比較的小さく設定することができるため、ユーザの操作時に、押下力が間接的に付与される各スイッチ５２、５３、５４を第１基板５に実装しても、その押下力による第１基板５の撓み変形を抑制することができる。このように、第１基板５が、プリント基板としてのみならず、各スイッチ５１、５２、５３、５４を支持し且つ押下力によって変形しない強度を有する支持部材として機能するため、別途専用の支持部材を設ける態様と比較して、部品点数の削減及び構造の簡略化を有効に図ることができる。加えて、この第１基板５により電池端子用のバネ部材９と波長変換モジュール７とを連結する連結部材としても機能し、これによって筐体１の内部に取り付ける各部材を内部取付ユニット４としてユニット化できるため、組立作業の簡素化及び筐体１へ取り付ける前段階における取扱性の便に資する。このように、第１基板５を支持部材及び連結部材として機能する構造部材と積極的に利用することができ、部品点数の削減等を有効に図ることができ、好適である。
【００３３】
また、筐体１に、第１基板５の厚み方向への移動を規制する移動規制手段として機能する一対の支持用溝１８を設けているため、ユーザが各スイッチ５１、５２、５３、５４を押下した場合に、その操作力による第１基板５の厚み方向への撓み変形及び筐体１に対する位置ずれを簡素な構造を利用して、確実に防止することができ、操作の的確性を確保することが可能である。
【００３４】
加えて、レーザを発光するための回路を第１基板５に実装し、所定の受信器と通信するための回路を第２基板６に実装しているため、仕様変更する場合に、変更対象の回路を実装した第１基板５又は第２基板６を、他の仕様に対応するように回路が実装された別の基板に交換するだけでよいため、商品展開も容易に行うことができ、多品種小量生産にも柔軟に対応することができる。さらに、一の機能に関する回路に故障が生じた場合には、一の機能に関する回路を実装した第１基板５又は第２基板６の何れか一方のみを交換するだけでよく、両方の基板５、６とも交換しなければならない態様と比較して、修理（交換）作業をスムーズ且つ的確に行うことができ、修理（交換）作業に掛かるコストも抑えることが可能となる。
【００３５】
なお、本発明は、以上に詳述した実施形態に限られるものではない。
【００３６】
例えば、前記実施形態では２枚の基板を二層状に構成した態様を示したが、これら限らず、３枚以上の基板を積層した態様を採用しても構わない。
【００３７】
また、筐体はユーザが把持可能な縦長のペン型であればよく、円筒状の他、多角筒状であってよく、長手方向に沿った一部に凹部や突部、湾曲部を形成した形状であっても構わない。
【００３８】
また、前記実施形態では、各スイッチは、ユーザの操作力（押下力）を各カバーを介して間接的に受けるものであるが、カバーを設けず、ユーザの操作力（押下力）を直接受け得るタイプであってもよい。この場合、カバーが不要であるため部品点数を削減することができる。また、上述した各スイッチの他にも、例えば、マウスの左右ボタンに対応する機能を発揮し得るためのスイッチ等、各種スイッチを第１基板に実装しても構わない。
【００３９】
移動規制手段として、前記支持用溝の他、筐体の内周から径方向に沿って内方に突出し基板の側縁部を支持し得る突出部を利用してもよい。この場合、基板をその厚み方向に挟持し得る位置に突出部を設ける態様、又は、基板の裏面のみを支持する位置に突出部を設ける態様何れであっても構わない。後者の場合であっても、スイッチを押下した際に、その押下力によって基板がその厚み方向へ移動することを適切に防止することができる。なお、支持用溝及び突部を、筐体の長手方向に沿って連続して設けることが好ましいが、筐体の長手方向に沿って間欠的に設けてもよい。また、筐体が四角筒状等の多角筒状であれば、対向するコーナー部又は任意に選択した２つのコーナー部にそれぞれ基板の両側縁部を支持させることにより、これらコーナー部を移動規制手段として機能させることも可能である。
【００４０】
また、第１基板にレーザ光線を発光するための回路を実装し、第２基板に所定の電子機器と通信するための回路を実装しても構わない。なお、通信方式として、ＲＦ方式の他、赤外線等、２．４５ＧＨｚ周波数帯域以外の電磁波を利用した通信方式を採用してもよい。
【００４１】
また、緑色レーザではなく、赤色レーザを照射するタイプのレーザポインタであってもよい。
【００４２】
その他、各部の具体的構成についても上記実施形態に限られるものではなく、本発明の趣旨を逸脱しない範囲で種々変形が可能である。
【図面の簡単な説明】
【００４３】
【図１】本発明の一実施形態に係るレーザポインタの全体斜視図。
【図２】同実施形態における筐体の斜視図。
【図３】同実施形態に係るレーザポインタの縦断面を模式的に示す図。
【図４】図３におけるＸ−Ｘ線断面を模式的に示す図。
【図５】同実施形態における内部取付ユニットの全体概略図。
【符号の説明】
【００４４】
Ｐ…レーザポインタ
１…筐体
１８…移動規制手段（支持用溝）
５…一の基板（第１基板）
５１…レーザスイッチ
５２…ページバックスイッチ
５３…ページネクストスイッチ
５４…マウススイッチ
６…第２基板
【図１】
2006330206.tif 000003
【図２】
2006330206.tif 000004
【図３】
2006330206.tif 000005
【図４】
2006330206.tif 000006
【図５】
2006330206.tif 000007